(57)【特許請求の範囲】
【請求項１】
眼底撮像装置と、
前記眼底撮像装置によって得られる眼底画像に基づいて、被検査者の検査開始時の特定の血管の第１の血管径と、被検査者の目を所定時間冷却した後の特定の血管の第２の血管径と、被検査者の目を所定時間冷却した後の状態から被検査者の目を所定時間加熱した後の特定の血管の第３の血管径を測定する血管径測定手段と、
前記第１の血管径に対する前記第２の血管径の変化と、前記第２の血管径に対する前記第３の血管径の変化とに基づいて、眼疲労傾向を判定する判定手段とを備えている、眼疲労検査装置。
【請求項２】
前記判定手段は、前記第１の血管径に対する前記第２の血管径の収縮率と、前記第２の血管径に対する前記第３の血管径の拡張率とを算出し、前記収縮率と前記拡張率とに基づいて、眼疲労傾向を判定する、請求項１記載の眼疲労検査装置。
【請求項３】
前記判定手段は、前記収縮率が所定値より高く、前記拡張率が所定値より高いＡ群と、前記収縮率が所定値より高く、前記拡張率が所定値より低いＢ群と、前記収縮率が所定値より低く、前記拡張率が所定値より高いＣ群と、前記収縮率が所定値より低く、前記拡張率が所定値より低いＤ群とに分けて判定する、請求項２記載の眼疲労検査装置。
【請求項４】
前記血管径測定手段は、前記眼底画像の複数の領域から、それぞれ特定の血管を選択して、該血管の血管径を測定し、複数の領域で選択された特定の血管の血管径の変化を測定し、
前記判定手段は、複数の領域で選択された特定の血管の血管径の変化率の平均値に基づいて、眼疲労傾向を判定する、請求項１〜３のいずれか１項に記載の眼疲労検査装置。
【発明の詳細な説明】
【技術分野】
【０００１】
本発明は、眼疲労を検査する装置に関する。
【背景技術】
【０００２】
眼疲労は、事務作業やパソコン作業、あるいは、最近増えているスマートフォンの長時間使用など目に負担がかかる際に起こる目のかすみや目の疲労による目の重たい感覚などを含む一般的な目の疲れ状態のことである。
【０００３】
通常、目の焦点調節機能は、毛様体筋や瞳孔括約筋などにより焦点が適切に調節される必要がある。また、眼輪筋などの影響により、目の動きが調節されている。このような筋肉の疲労時には、眼の特定の筋肉の緊張状態が続き、筋肉疲労物質が蓄積して眼疲労として現れる。眼疲労は、一般的には、目の動きあるいは焦点調節にかかわる筋肉疲労と、視覚情報を認知する中枢性疲労に分けられている。
【０００４】
この、中枢性疲労は、ヒトの感覚に影響を受けてしまうことにより、個々の主観により、眼疲労の感じ方が様々となる。このことにより、個人が受けた眼疲労の程度は、主観的な報告から判断され、客観的な評価が難しい。
【０００５】
特許文献１は、血管径の左右の被検眼に光量差のある光を照射しつつ、該光量差を拡大していく眼疲労検査装置を開示する。該眼疲労検査装置は、被検査者の視線方向が視標から離れた時の光量差を検出し、該検出した光量差に基づいて該被検査者の眼疲労を判定する。
【０００６】
特許文献２は、被検査者の眼精疲労を輻輳速度又は輻輳隔とＨＲＶ（心拍変動）スコアとからＡＲＭ（眼精疲労リスクマーカ）値を算出し、ＡＲＭ値と閾値とを比較して、眼精疲労を判定することを開示する。
【０００７】
なお、眼精疲労と眼疲労とは区別される。眼疲労は、眼精疲労を含む。眼疲労は、眼精疲労の他に、人が目を使えば、肉体疲労として当然に生じる目の疲れを包含する。
【先行技術文献】
【特許文献】
【０００８】
【特許文献１】特開２０１７−１６９６０１号公報
【特許文献２】特許第６５０９９３９号公報
【発明の概要】
【発明が解決しようとする課題】
【０００９】
特許文献１の眼疲労検査装置は、気まぐれなヒトの視線方向を検出するので、眼疲労の検査値のばらつきが増大する。特許文献２の眼疲労検査装置は、眼疲労以外の要因でも変化するＨＲＶを検出するので、これも眼疲労の検査値のばらつきの増大原因になる。
【００１０】
本発明の目的は、ばらつきを抑えて、高い精度で眼疲労を検査することができるようにした眼疲労検査装置を提供することである。
【課題を解決するための手段】
【００１１】
本発明の眼疲労検査装置は、
眼底撮像装置と、
前記眼底撮像装置によって得られる眼底画像に基づいて、被検査者の検査開始時の特定の血管の第１の血管径と、被検査者の目を所定時間冷却した後の特定の血管の第２の血管径と、被検査者の目を所定時間冷却した後の状態から被検査者の目を所定時間加熱した後の特定の血管の第３の血管径を測定する血管径測定手段と、
前記第１の血管径に対する前記第２の血管径の変化と、前記第２の血管径に対する前記第３の血管径の変化とに基づいて、眼疲労傾向を判定する判定手段とを備えている。
【００１４】
好ましくは、
前記判定手段は、前記第１の血管径に対する前記第２の血管径の収縮率と、前記第２の血管径に対する前記第３の血管径の拡張率とを算出し、前記収縮率と前記拡張率とに基づいて、眼疲労傾向を判定する。
【００１５】
好ましくは、
前記判定手段は、前記収縮率が所定値より高く、前記拡張率が所定値より高いＡ群と、前記収縮率が所定値より高く、前記拡張率が所定値より低いＢ群と、前記収縮率が所定値より低く、前記拡張率が所定値より高いＣ群と、前記収縮率が所定値より低く、前記拡張率が所定値より低いＤ群とに分けて判定する。
【００１６】
好ましくは、
前記血管径測定手段は、前記眼底画像の複数の領域から、それぞれ特定の血管を選択して、該血管の血管径を測定し、複数の領域で選択された特定の血管の血管径の変化を測定し、
前記判定手段は、複数の領域で選択された特定の血管の血管径の変化率の平均値に基づいて、眼疲労傾向を判定する。
【発明の効果】
【００１７】
ヒトが自分の眼底の血管径を、随意筋を使って増減することは難しい。本発明によれば、ヒトが任意に変更することが難しい眼底の血管径に基づいて眼疲労を検出する。これにより、ばらつきを抑えて、高い精度で眼疲労を検査することができる。
【図面の簡単な説明】
【００１８】
【図１】眼疲労検査装置の構成図である。
【図２】制御装置のブロック図である。
【図３】被験者に対し目をそのままの温度に維持して眼疲労を調べる試験をしたときの右目の眼底画像図である。
【図４】被験者に対し目をそのままの温度に維持して眼疲労を調べる試験をしたときの左目の眼底画像図である。
【図５】目を冷却すると眼底血管がどのように変化するかを調べた眼底画像図である。
【図６】図５の眼底画像を取得する試験において安静時と冷却後との眼底血管径を対比した図である。
【図７Ａ】安静時と所定時間、目を冷却した後とで両目の視野角を対比した図である。
【図７Ｂ】安静時と所定時間、目を冷却した後とで左目の視野角を対比した図である。
【図８】被検査者の目を安静時と所定時間、冷却又は加熱した後との眼底画像図である。
【図９】図８の眼底画像に基づいて眼底血管の径を対比したものである。
【図１０Ａ】３人の被験者に対して右目について目の冷却及び加熱したときの視野角の変化を調べた試験結果のグラフである。
【図１０Ｂ】３人の被験者に対して被験者の左目について目の冷却及び加熱したときの視野角の変化を調べた試験結果のグラフである。
【図１１】冷却及び加熱の順で眼疲労傾向を試験して被験者を分類した分類図である。
【図１２】冷却及び加熱の順で眼疲労傾向を検査する眼疲労検査方法のフローチャートである。
【発明を実施するための形態】
【００１９】
（全体の構成）
図１は、眼疲労検査装置１０の構成図である。眼疲労検査装置１０は、眼底撮像装置１１（例：眼底カメラ）及び制御装置１２を備えている。制御装置１２は、各種の眼検査使用される各種ソフトウェアの実行に必要とされる基本的なハードウェア素子（例：ＣＰＵ、ＲＡＭ、ＲＯＭ及びＩＯ等）を内蔵している。
【００２０】
被検査者１５は、開いた目を眼底撮像装置１１の接眼部に臨ませる。眼底撮像装置１１は、被検査者１５の瞳孔を介して撮影した被検査者１５の眼底を撮影する。眼底撮像装置１１は、生成した眼底画像を制御装置１２に送る。
【００２１】
図２は、制御装置１２のブロック図である。制御装置１２は、血管径測定手段２１及び判定手段２２を備える。血管径測定手段２１及び判定手段２２は、ソフトウェアの実行により生成される機能に対応する。
【００２２】
最初に、これから説明する各種試験で採用した各種処理について概要を説明する。なお、被検査者１５と、被験者とは、区別される。被験者は、試験で対象となる人のことであり、被検査者１５は、検査の対象となる人のことである。
【００２３】
（目の冷却及び加熱方法）
被検者及び被検査者１５（以下、「被検査者１５等」という。）の目の冷却は、具体的に、凍結させた保冷材をタオルで巻き、直接目に当てる方法で行っている。目の加熱は、具多的に、あらかじめタオルウォーマーにて濡れタオルを加熱しておき、加熱した濡れタオルを直接目に当てる方法で行っている。目の冷却及び加熱は、所定時間（例：２０分や３０分）冷却又は加熱している。また、冷却及び加熱の前後で、眼底撮像装置１１による眼底血管の撮影、及び視野角の測定を行っている。
【００２４】
（視野角の測定）
被検査者１５等は、あご台にて頭部を固定したのち、正面に配置したマーカーを注視する。視野角測定のためのターゲットは、被検査者１５等を中心とし、３ｍの距離の位置で被検査者１５等の背後より同心円状に移動させ、ターゲットを認識した時点での角度を測定した。測定は左右両方行い、５回の測定の平均値及び標準誤差を使用した。
【００２５】
（眼底血管の撮影）
眼底血管の撮影には、眼底撮像装置１１として無散瞳眼底カメラＴＲＣ−ＮＷ２００（ＴＯＰＣＯＭ（登録商標））を使用した。
【００２６】
（眼底血管径の計測）
眼底撮像装置１１にて撮影されたすべての写真は、スキャナーにて６００ｄｐｉで画像ファイルに取り込まれた。取り込んだ写真は、ＩｌｌｕｓｔｒａｔｏｒＣＳ４（ａｄｏｂｅ（登録商標））にて、同一操作にて拡大処理が行われたのち計測を行った。一回の撮影にて得られた写真一枚につき３箇所を任意に抽出し、その中よりさらに同一血管上で３箇所の血管径を計測し平均を用いた。冷却及び加熱の前後にて撮影が行われたが、すべての場合において、同一場所の測定値で径の変化率を算出した。
【００２７】
（眼疲労に因る眼底血管の収縮）
図３及び図４は、被験者に対し目をそのままの温度に維持して眼疲労を調べる試験をしたときのそれぞれ右目（Right eye）及び左目（Left eye）の眼底画像図である。
【００２８】
結論から述べると、図３及び図４から次の事項が教示される。試験では、朝、出勤時（０時間）に撮影した眼底血管径（Ａ，Ｃ，Ｅ，Ｇ，Ｉ，Ｋ，Ｍ）から１０時間後(Ｂ，Ｄ，Ｆ，Ｈ，Ｊ，Ｌ，Ｎ，Ｐ)の眼底血管径を比較した。その結果、０時間に比べ、１０時間後の血管では、血管径の収縮（縮小）が観察された。この収縮は、左右の眼底どちらでも観察された。また、同時に測定した視野角は、同様に縮小傾向が認められた。
【００２９】
図３及び図４について、詳細に説明する。Ａ，Ｃ，Ｅ，Ｇは、左目の安静時（０ｈｒ）の眼底画像であり、Ｂ，Ｄ，Ｆ，Ｈは、被験者がＶＤＴ（Visual Display Terminal）の作業を１０時間続けた後（１０ｈｒ）の左目の眼底画像である。Ｉ，Ｋ，Ｍ，Ｏは、右目の安静時（０ｈｒ）の眼底画像であり、Ｊ，Ｌ，Ｎ，Ｐは、被験者がＶＤＴの作業を１０時間続けた後（１０ｈｒ）の右目の眼底画像である。
【００３０】
Ｇ，Ｈ，Ｏ，Ｐは、眼底全体の画像であり、Ａ，Ｂ，Ｃ，Ｄ，Ｅ，Ｆ，Ｉ，Ｊ，Ｋ，Ｌ，Ｍ，Ｎは、Ｇ，Ｈ，Ｏ，Ｐ内にそれらの符号で指示されている矩形の領域の拡大画像である。Ａ，Ｂ，Ｃ，Ｄ，Ｅ，Ｆ，Ｉ，Ｊ，Ｋ，Ｌ，Ｍ，Ｎには、それらに含まれる眼底血管の径（幅）に対応する数値が示されている。数値が大きいほど、径が大きいことを意味する。
【００３１】
次の表１は、４人の被験者Ｐ１１〜Ｐ１４に対してＶＤＴの作業を１０時間続けたときの眼底血管径の変化を示している。被験者Ｐ１１〜Ｐ１４に対し３回のＶＤＴ作業を行わせて、眼底血管径の変化を調べている。ＶＤＴ作業前の眼底血管径を基準値の１として、１０時間作業終了後の眼底血管径を基準値に対する比率（＝変化率）で示している。なお、ＳＤは標準偏差である。
【００３２】
【表１】
0006779446.tif 000002
【００３３】
（目の冷却による眼底血管の収縮）
図５は、目を冷却すると眼底血管がどのように変化するかを調べた眼底画像図である。被験者に対する目の冷却は、凍結させた保冷材をタオルで巻き、直接、両目に当てることにより行った。Ａ，Ｃ，Ｅ，Ｇは、目を冷却する前の左目の安静時（０ｍｉｎ）の眼底画像であり、Ｂ，Ｄ，Ｆ，Ｈは、両目を所定時間（２０ｍｉｎ）冷却した後の左目の眼底画像である。図３と同様に、図５でも、Ａ，Ｂ，Ｃ，Ｄ，Ｅ，Ｆは、Ｇ，Ｈ内の対応する矩形領域の拡大画像になっている。また、各数値も、眼底の血管の対応箇所の径（幅）を示している。
【００３４】
図６は、図５の眼底画像を取得する試験において安静時と冷却後との眼底血管径を対比した図である。図６の棒グラフでは、眼底血管径の変化が安静時の眼底血管径を１．０として示されている。
【００３５】
Ａ−１〜Ｅ−３は、図５のＡ〜Ｅの位置に対応する。−１〜−３は、各位置について安静時（０ｍｉｎ）から冷却後（２０ｍｉｎ）への眼底血管径の変化を調べた試験を３回行って各回を番号付けしたことを意味する。Ａ−Ｅは、同一の被験者について眼底血管の異なる４箇所について３回ずつ測定している。棒グラフの高さの比率は、各箇所及び各番号ごとの安静時と冷却後との眼底血管径の比率としての変化率を算出し、変化率の平均値を棒グラフの高さの比率としている。
【００３６】
眼底血管径の変化率は、目の温度を変化させる前の眼底血管径に対する温度を変化した後の眼底血管径と定義している。
【００３７】
冷却の処理、すなわち目の温度を下げる温度処理のとき、眼底血管は収縮する。したがって、目の温度を下げる温度処理のときの変化率（収縮率）は、１より小となる。これに対し、加熱の処理、すなわち目の温度を上げる温度処理のとき、眼底血管は拡張する。したがって、目の温度を上げる温度処理のときの変化率（拡張率）は、１より大となる。詳細については、図１１で説明する。
【００３８】
図６によると、目を冷却するときは、眼底血管径の変化率が１未満になる。Ｉ，Ｋ，Ｍ，Ｏは、右目の安静時（０ｈｒ）の眼底画像であり、Ｊ，Ｌ，Ｎ，Ｐは、被験者がＶＤＴの作業を１０時間続けた後（１０ｈｒ）の右目の眼底画像である。
【００３９】
（目の冷却による視野角の低下）
図７Ａ及び図７Ｂは、安静時と所定時間（２０ｍｉｎ）、目を冷却した後とで両目の視野角（Full field of view／Angle of vision）及び左目の視野角（Left field of view／Angle of vision）を対比した図である。
【００４０】
図５及び図６の試験で行った際に同時に測定した視野角を比較してみたところ、視野角は、冷却によっても、眼疲労誘発時と同様に縮小することが明らかになった。
【００４１】
眼の焦点調節機能は、毛様体筋や瞳孔括約筋などにより焦点が適切に調節される必要がある。そのため、眼疲労時には、これらの筋肉が疲労を起こし、眼の特定の筋肉の緊張状態が続き、筋肉疲労物質が蓄積して眼疲労として現れることが分かっている。また、この筋肉の緊張状態による眼底血管の狭窄により眼底に流れる血流が低下することが明らかにされている。
【００４２】
この、眼底血管の狭窄による毛流量の低下は、眼球後極に存在する視細胞への血液の供給が減少することを意味している。また、眼底血管は、眼球の構造上から視神経乳頭が唯一の血管の出入り口となっている。そのため、目の周辺部分の血管は視神経乳頭周辺に比べて細くなる。この、血管の細い部分における視神経は、視野の外延部の映像を受け取っている神経であり、焦点の中心部分である中心窩における視神経の数に比べて圧倒的に少ない。
【００４３】
そのため、眼疲労における筋肉の緊張により、眼球全体の血流が低下し、末端部分に十分な血流が流れないことによる視細胞の機能低下を引き起こし、結果として、視野の狭窄が起こる。
【００４４】
本発明では、ＶＤＴ作業により起こる筋肉の緊張から起こる視細胞の機能低下を再現するため、眼球血管の冷却による眼底血管の狭窄を再現することにより、ＶＤＴ作業時と同様に視野の狭窄が起きることを明らかにした。
【００４５】
また、加温により、血管径が拡張し、視野が広がることも明らかにした。これらのことは、眼底血管の狭窄あるいは拡張が視野の狭窄あるいは拡大と連動しており、眼疲労モデルとして利用できることを表している。
【００４６】
また、この方法による眼疲労状態誘発は、従来行われているＶＤＴ作業による眼疲労誘発に比べて、安定した結果が得られることも明らかになった。従来のＶＤＴ作業による眼疲労誘発は、非常に時間がかかることにより、被検者の作業への集中力にも結果が左右されることからも結果が安定しない欠点があったが、本発明では、そのような要素を排除し、一定の結果が得られる方法である。また、同時に、実際に疲労状態にある眼底血管も確認したところ、眼底血管が優位に収縮しており、本モデルが実際の疲労状態を再現していることも確認している。
【００４７】
このことから、本検査装置は、眼疲労を短時間に一定の状態で作り出す眼疲労の作出モデルといえる。
【００４８】
（眼球の冷却と加熱による眼底血管の影響）
図８は、被検査者の目を安静時（Rest or ０ min）と所定時間（３０ min）、冷却（Cooling）又は加熱（Warming）した後との眼底画像図である。具体的には、３０分眼球を冷却した後に眼底の撮影を行い、続いて３０分眼球の加熱を行った。その結果、３０分では、再現性良く血管の収縮が認められ、さらに、その状態から加熱を行うと血管径が拡張した。
【００４９】
Ｊ，Ｋ，Ｌは、それぞれ安静時、所定時間冷却後、及び所定時間加熱後の全体眼底画像である。Ａ〜Ｉは、Ｊ，Ｋ，Ｌに指示されている各矩形領域の拡大眼底画像図である。数値は、眼底血管径である。
【００５０】
図９は、図８の眼底画像に基づいて眼底血管の径を対比したものである。縦軸は、安静時（Rest）の眼底血管径を１．０として、３０分冷却時（Cooling for 30min）及び３０分加熱時（Warming for 30min）の眼底血管径の比率となっている。詳細には、縦軸の変化率は、眼疲労に対する眼底血管径の相対値（Ralative value of Fundus blood vessel diameter against eye fatigue）である。
【００５１】
図９によると、被験者の目の冷却により眼底血管径の収縮が生じ、被験者の目の加熱により眼底血管径の拡張が生じていることが理解される。
【００５２】
（冷却による視野角の低下）
図１０Ａ及び図１０Ｂは、３人の被験者Ｐ２１〜Ｐ２３に対してそれぞれ右目及び左目の冷却（Cooling for 30min）及び加熱（Warming for 30min）したときの視野角の変化を調べた試験結果のグラフである。
【００５３】
図１０Ａ及び図１０Ｂの試験では、被験者Ｐｃ１〜Ｐｃ３の３人が被験者になっている。図１０Ａ及び図１０Ｂの試験結果から、被験者の視野角は、右目については、安静時に対して冷却及び加熱共に低下している。これに対し、左目については、安静時に対して冷却及び加熱共に低下している。これに対し、左目の視野角は、安静時に対して冷却及び加熱後、増減まちまちになっている。
【００５４】
（冷却及び加熱の順による眼疲労傾向検査）
さらに、本発明者は、被験者Ｐ３１〜Ｐ３３の３人について、目を、第１段階として安静状態から冷却した後の冷却後状態にし、さらに、第２段階として冷却後状態から加熱した後の加熱後状態にしたときの一連の眼底血管径の変化を調べた。
【００５５】
なお、第１段階の冷却の所定時間及び第２段階の加熱の所定時間は、共に、３０分としている。
【００５６】
次の表２及び表３は、第１段階及び第２段階の眼底血管径の測定値である。測定値は、複数回（例：３回）の平均値（average）で示している。
【００５７】
【表２】
0006779446.tif 000003
【００５８】
【表３】
0006779446.tif 000004
【００５９】
眼底血管径の測定の際に、眼底血管と同時に測定した視野角を比較してみたところ、冷却により視野角が狭まったのち、加熱により視野角が連動するように広がっていることが明らかになった。
【００６０】
表２から、第１段階では、眼底血管径の収縮が生じる（この時は、変化率＜１。）ことが理解される。表３から、第２段階では、眼底血管径の拡張が生じる（この時は、変化率＞１。）ことが理解される。。
【００６１】
先に加熱してから、次に冷却することも考えられる。しかしながら、加熱してからの冷却では、十分に冷却の効果が出ず、眼疲労傾向の度合いが不確定になり易い。さらに、加熱の基準を安静時にした場合、一度冷却してから回復を見ることで抵抗力が分かるのに対し、安静時では、目に眼疲労がかかっていないため、充分な回復力が見られないと考えられる。
【００６２】
これらのことを踏まえると、上述のように、第１段階で、冷却を行い、次の第２段階で加熱を行うことが有利となる。
【００６３】
図１１は、冷却及び加熱の順で眼疲労傾向を試験して被験者を分類した分類図である。図１１において横軸は、第１段階の眼底血管径の変化率としての収縮率を示し、縦軸は、第２段階の眼底血管径の変化率としての拡張率を示している。
【００６４】
冷却及び加熱の順で眼疲労傾向を試験する検査について、補足説明する。
【００６５】
被検査者の目に対する冷却による眼底血管率の検査は、該被検査者の眼疲労の程度や回復力の目安とされる。また、被検査者の目に対する加熱による眼底血管の眼底血管率の検査は、該被検査者の眼疲労への抵抗力の目安とされる。なお、眼疲労の程度、眼疲労からの回復力、及び眼疲労への抵抗力を総称して「眼疲労傾向」と呼ぶ。
【００６６】
冷却による眼疲労回復力の検査では、収縮率が大きくなるほど（眼底血管径の変化率が１に対して小さくなるほど）、疲れ易いと評価される。物質投与による収縮率の改善が大きいほど（眼底血管径の変化率が１に近づくほど）、眼疲労の回復力が高いと評価することができる。
【００６７】
加温による抵抗性の検査は、目への加熱により、拡張率が高いほど（眼底血管径の変化率が１に対して大きいほど）、被検査者の眼疲労の回復力が高いと評価することができる。また、加熱後の状態から冷却した後の収縮率は、眼疲労に対する抵抗性が高いと評価することができる。
【００６８】
（眼疲労傾向についての分類）
以上を踏まえて、図１１について説明する。図１１は、被検査者の目に対して安静状態、安静状態からの所定時間冷却した後の冷却後状態、冷却後状態から所定時間加熱した後の加熱後状態を行った時の眼底血管径の変化率（各状態の開始時に対する終了時の眼底血管径の比率）に基づいて被検査者を４つの分類に分けた分類図である。
【００６９】
図１１において、横軸は、眼底血管の収縮時の変化率である。縦軸は、眼底血管の拡張時の変化率である。図１１において、変化率（収縮）が小さいとは、眼底血管が大きく収縮していることを意味する。
【００７０】
図１１において、Ａ群〜Ｄ群の被験者は、眼疲労傾向について次の傾向をもつと評価される。
Ａ群：眼疲労があまりなく、回復力が高い。
Ｂ群：眼疲労が少なく、眼疲労のリスクが低い。最も望ましい眼疲労傾向である。
Ｃ群：眼疲労が起き易いが、回復力も高い。換言すると、眼疲労状態であるが、回復力も高いため、それほど疲れを感じないグループ。
Ｄ群：眼疲労が起き易く、回復力も低い。換言すると、眼疲労状態であり、回復する力が弱いため慢性的な眼疲労状態にある。最も好ましくない眼疲労傾向である。
【００７１】
図１１において設定している閾値Ｔｈｘは、眼底血管の収縮率が１．０−０.８に収まっているため、その中間値ということで「０.９」になっている。これに対し、眼底血管の拡張率の閾値Ｔｈｙは、調査範囲が１．０〜１．２前後の値のため、その中間付近で「１．１」にしている。
【００７２】
図１１のデータを取った被験者Ｐ３１〜Ｐ３３の３人の被験者は、全員１８−２０歳と若いためか、Ａ群に値が集中している。Ｃ群に一部値が入った被験者は、被験者Ｐ３１が大学３年生、被験者Ｐ３３は、大学１年生であった。スマホをよく触っているとのことである。被験者Ｐ３１，Ｐ３３の３人の被験者は、現在は若いせいか、目の負担がかかっていても疲労がたまりにくいと、推測される。
【００７３】
被験者Ｐ３２は、大学１年生である。あまりスマホやゲームをすることがないとのことである。目の負担はあまりかかっていない代わりに回復力も人より低い部分があるため、高学年になると目に負担がかかり、Ｄ群に入り易いかもしれない。
【００７４】
（眼疲労検査方法）
図１２は、冷却及び加熱の順で眼疲労傾向を検査する眼疲労検査方法のフローチャートである。
【００７５】
ステップＳ１００では、判定手段２２は、目が安静状態になっている被検査者の眼底血管の径を測定する。この時の径を第１の血管径Ｄ１とする。
【００７６】
具体的には、判定手段２２は、眼底撮像装置１１から送られてきた被検査者の安静状態の目の眼底を撮影した眼底画像から所定の眼底血管の複数の箇所の径を測定する。所定の眼底血管の複数の箇所は、枝分かれのない眼底血管の部分の複数の異なる箇所の径（幅）を所定のアプリを使って測定する。
【００７７】
ステップＳ１１０では、判定手段２２は、目が安静状態から所定時間冷却された冷却後状態の眼底血管の径を測定する。この時の径を第２の血管径Ｄ２とする。具体的な測定の仕方は、第１の血管径Ｄ１と同一である。
【００７８】
ステップＳ１２０では、判定手段２２は、冷却後状態から所定時間加熱した加熱後状態の眼底血管の径を測定する。この時の径を第３の血管径Ｄ３とする。具体的な測定の仕方は、第１の血管径Ｄ１と同一である。
【００７９】
ステップＳ１３０では、判定手段２２は、眼底血管の収縮率Ｒａ及び拡張率Ｒｂを算出する。Ｒａ＝Ｒ２／Ｒ１である。Ｒｂ＝Ｒ３／Ｒ２である。
【００８０】
ステップＳ１４０では、判定手段２２は、収縮率Ｒａ及び拡張率Ｒｂに基づいて被検査者の眼疲労傾向をＡ群〜Ｄ群のいずれかに分類する。具体的な分類の仕方は、図１１の分類図で説明したとおりである。
【符号の説明】
【００８１】
１０・・・眼疲労検査装置、１１・・・眼底撮像装置、１２・・・制御装置、１５・・・被検査者、２１・・・血管径測定手段、２２・・・判定手段。
【要約】
【課題】ばらつきを抑えて、高い精度で眼疲労を検査することができるようにした眼疲労検査装置を提供する。
【解決手段】眼疲労検査装置１０は、眼底撮像装置１１と、眼底撮像装置１１によって得られる眼底画像に基づいて、特定の血管の血管径を測定する血管径測定手段２１と、血管径測定手段２１によって測定された血管径に基づいて、眼疲労傾向を判定する判定手段２２とを備えている。
【選択図】図１【図１】
0006779446.tif 000005
【図２】
0006779446.tif 000006
【図３】
0006779446.tif 000007
【図４】
0006779446.tif 000008
【図５】
0006779446.tif 000009
【図６】
0006779446.tif 000010
【図７Ａ】
0006779446.tif 000011
【図７Ｂ】
0006779446.tif 000012
【図８】
0006779446.tif 000013
【図９】
0006779446.tif 000014
【図１０Ａ】
0006779446.tif 000015
【図１０Ｂ】
0006779446.tif 000016
【図１１】
0006779446.tif 000017
【図１２】
0006779446.tif 000018